(57)【要約】【課題】合成樹脂等の使用量を少なくしながらも高い断熱性を得られるようにする屋根板支持具の提供。【解決手段】下地材２の上に固定する固定金具５と、該固定金具５に一体的に取り付けられて上下方向での熱伝導を遮断する断熱部材６と、該断熱部材６上に取り付けられ、屋根板３ａを支持する上金具７とを有した屋根板支持具１であって、上記固定金具５は、左右一対の挟持部材８，９を用いて構成するとともに、これら挟持部材８，９には、垂直に立ち上がる垂直片８ｄ，９ｄと、該垂直片８ｄ，９ｄの上端から左右方向の外方に延びる受け片８ｅ，９ｅとを設け、上記断熱部材６は、左右に２分割した断熱部材担体６ａで構成し、上部には、外方へ張り出す張り出し部１２を形成するとともに、これら断熱部材担体６ａの対向面には、相互に組み合わせたときに上記垂直片８ｄ，９ｄを収める収容凹部１４と、該収容凹部１４の上側であって上記張り出し部１２対応位置に、上記受け片８ｅ，９ｅを差し込む差込溝１５を形成した屋根板支持具１。【選択図】    図２
2004162253.tif 000002
【特許請求の範囲】
【請求項１】
下地材の上に固定する固定金具と、該固定金具に一体的に取り付けられて上下方向での熱伝導を遮断する断熱部材と、該断熱部材上に取り付けられ、屋根板を支持する上金具とを有した屋根板支持具であって、
上記固定金具は、左右一対の挟持部材を用いて構成するとともに、これら挟持部材には、垂直に立ち上がる垂直片と、該垂直片の上端から左右方向の外方に延びる受け片とを設け、
上記断熱部材は、左右に２分割した断熱部材担体で構成し、これら断熱部材担体の上部には、上記受け片と同様に外方へ張り出す張り出し部を形成するとともに、
これら断熱部材担体の対向面には、相互に組み合わせたときに上記垂直片を収める収容凹部と、該収容凹部の上側であって上記張り出し部対応位置に、上記受け片を差し込む差込溝を形成した
屋根板支持具。
【請求項２】
前記差込溝を袋状に形成した
請求項１に記載の屋根板支持具。
【請求項３】
前記上金具の下部に、前記張り出し部に係合して上下方向での分離を不可にする係合部を形成した
請求項１または請求項２に記載の屋根板支持具。
【請求項４】
前記張り出し部の上下両縁部に、前記上金具を取り付けた状態で断熱部材担体の対向面における上端側を中心にしての回動を許容する曲面部を形成した
請求項３に記載の屋根板支持具。
【請求項５】
前記対向面相互間に、上記回動を許容しながらも上下方向での位置ずれを防止すべく相互に嵌合対応する形状の凸部と凹部を形成した
請求項３または請求項４に記載の屋根板支持具。
【請求項６】
前記係合部を、断熱部材よりも前後方向に長く形成するとともに、
前記張り出し部を、上記係合部が前後方向に沿って摺動するための摺動部に設定した
請求項３から請求項５のうちのいずれか一項に記載の屋根板支持具。
【請求項７】
前記請求項１から請求項５のうちのいずれか一項に記載の屋根板支持具を用いる
屋根構造。
【発明の詳細な説明】
【０００１】
【発明の属する技術分野】
この発明は、折板と称される金属製の屋根板を支持して屋根を形成するための屋根板支持具に関し、より詳しくは、断熱機能を有する屋根板支持具に関する。
【０００２】
【従来の技術】
屋根板支持具は、Ｈ鋼やＣ型鋼、既設の屋根、下葺屋根等の下地材の上に固定してから、屋根板を固定（支持）する。そして、断熱性を持たせるときには、支持した屋根板の熱が下地材に伝わらないように、上下方向での熱伝導を遮断する断熱部を有した屋根板支持具を使用する。
【０００３】
この断熱部は合成樹脂で形成しており、その成形の自由度の高さゆえに、様々に形成されている。
【０００４】
例えば、下地材に固定する横方向２分割のサドルで構成された支持具がある（例えば特許文献１参照）。
【０００５】
この支持具ではそのものの上部、すなわちサドルの上部に、屋根板を固定する屋根板支持金具を保持した構成である。上記サドルはすべて合成樹脂製であり、合成樹脂の塊で屋根板を支持することになる。
【０００６】
このように構成した支持具では、充分な強度が得にくい上に、合成樹脂を多く使用するので、資源の有効利用等の点で難点がある。
【０００７】
また上記支持具は、固定した金属製の屋根板が、温度変化により伸縮するときに生じる歪を吸収するために、屋根板を支持する支持部を屋根板の伸縮方向に摺動可能に構成したもので、上記サドルの上部に逆Ｔ字形溝を形成して、この逆Ｔ字形溝に、屋根板を固定する屋根板支持金具を摺動自在に支持している。
【０００８】
しかし、上述のように上記サドルは、合成樹脂の塊であるので、火事になれば全てが焼失してしまい、屋根が飛んでしまうことになる。
【０００９】
そこで、下地材の上に固定する下部材上に、屋根板係止用の係止部材を有した上部材を屋根板の長さ方向、すなわち前後方向に摺動可能に載置し、上部材と下部材の相互間に、合成樹脂製の断熱部材を組み込んだ構成のものを案出した（特許文献２参照）。この屋根板支持具によれば、上述のような問題点は解決できるが、この場合も合成樹脂特有の成形性のよさに依存しがちであり、強度や美感の点から、比較的大きな形の断熱部材を使用する傾向があった。
【００１０】
このため、断熱機能を果たすための材料、すなわち合成樹脂や合成ゴムの使用量を極力抑えることができるとともに、充分な強度も得られるようにする屋根板支持具をさらに案出した（参考文献３参照）。
【００１１】
【特許文献１】
特開平９−３２８８６９号公報
【特許文献２】
特許第３０１９９９３号公報
【特許文献３】
特願２００２−１１１５７６号。
【００１２】
【発明が解決しようとする課題】
この発明は、上述のように合成樹脂等の使用量を少なくしながらも高い断熱性を得られるようにすることを主たる課題とする。
【００１３】
【課題を解決するための手段】
そのための手段は、下地材の上に固定する固定金具と、該固定金具に一体的に取り付けられて上下方向での熱伝導を遮断する断熱部材と、該断熱部材上に取り付けられ、屋根板を支持する上金具とを有した屋根板支持具であって、上記固定金具は、左右一対の挟持部材を用いて構成するとともに、これら挟持部材には、垂直に立ち上がる垂直片と、該垂直片の上端から左右方向の外方に延びる受け片とを設け、上記断熱部材は、左右に２分割した断熱部材担体で構成し、これら断熱部材担体の上部には、上記受け片と同様に外方へ張り出す張り出し部を形成するとともに、これら断熱部材担体の対向面には、相互に組み合わせたときに上記垂直片を収める収容凹部と、該収容凹部の上側であって上記張り出し部対応位置に、上記受け片を差し込む差込溝を形成した屋根板支持具であることを特徴とする。
【００１４】
すなわち、左右２分割に形成した断熱部材は、固定金具の垂直片を収容凹部に収め、また受け片を差込溝に差し込んだ状態で固定金具に対して一体的に取り付けられる。このため固定金具の上部を断熱部材で包み込むことになり、コンパクトにまとめられるとともに両者の一体性が高まる。また、固定金具の上部を断熱部材で包み込むことにより、固定金具と上金具との間には必ず断熱部材が介在する構造とすることができる。さらに、断熱部材の張り出し部は、固定金具の受け片を芯として補強される。
【００１５】
より好ましくは、前記差込溝を袋状に形成するとよい。差込溝の差込口を除く全ての部分が閉塞された袋状にすることで、固定金具と上金具との間を断熱部材で全て遮断することができる。
【００１６】
また、前記上金具の下部に、前記張り出し部に係合して上下方向での分離を不可にする係合部を形成するとよい。断熱部材の張り出し部には固定金具の受け片が存在しているので、係合部は上記受け片に対して断熱部材を介して噛合することになり、正圧にも負圧にも高い強度を発揮できるとともに、万が一火災で断熱部材が焼失しても上金具が飛んでしまうことを防止できる。
【００１７】
また、前記張り出し部の上下両縁部に、前記上金具を取り付けた状態で断熱部材担体の対向面における上端側を中心にしての回動を許容する曲面部を形成するもよい。
【００１８】
すなわち、上金具を取り付けた状態でも断熱部材担体同士を相対回動して下端部を開けば、曲面部が係合部の内面を摺動してその回動を許容する。このため、固定金具が下地材に対して挟持固定する構造であっても、固定金具を開くことができ、容易に取り付けることが可能となる。なお、上金具を取り付けた状態は、上金具が左右一対の金具からなりボルトナットで固定する構造である場合、ボルトを締めた時も緩めた時もいずれも含む。
【００１９】
また、前記対向面相互間に、上記回動を許容しながらも上下方向での位置ずれを防止すべく相互に嵌合対応する形状の凸部と凹部を形成するとよい。凸部と凹部は一方の断熱部材担体に双方を形成するも、一方の断熱部材担体には凸部のみを、他方の断熱部材担体には凹部のみを形成するもよい。
【００２０】
凸部と凹部が相互に嵌合し、断熱部材担体同士の上下方向でのずれを阻止するので、断熱部材の一体性が高まるとともに、外力に対して高い強度を有する。
【００２１】
さらに、係合部は断熱部材に対して相対移動不可に固定的に取り付けるもよいが、前記係合部を、断熱部材よりも前後方向に長く形成するとともに、前記張り出し部を、上記係合部が前後方向に沿って摺動するための摺動部に設定するもよい。係合部が摺動部上を摺動するので、上金具が支持した屋根板の伸縮に伴って摺動することかでき、屋根板の伸縮による歪を吸収することができる。
【００２２】
別の手段は、前記屋根板支持具を用いる屋根構造であることを特徴とする。
【００２３】
【発明の効果】
以上のようにこの発明によれば、固定金具と断熱部材との一体的な取り付け部分の構造をコンパクトにまとめることができ、合成樹脂等の使用量を抑えることができ、資源等の有効利用に資するとともに、万が一火災で燃えても有害ガスの発生を抑えることができて環境保全にも資する。
【００２４】
また、固定金具の受け片を断熱部材の張り出し部内の差込溝に差し込んだ状態で一体化するので、高い一体性が得られ、強度を向上できるとともに、上金具との干渉を防止でき、高い断熱性を得ることができる。特に差込溝を袋状に形成することにより、負圧に対しても充分に高い強度を得られるうえに、受け片を全て覆ってしまうので、上金具との干渉を防止でき、高い断熱性を得ることができる。
【００２５】
上金具と断熱部材との取り付けを、上金具の下部に形成した係合部の張り出し部に対する係合で行うと、断熱部材を介して固定金具と上金具とが噛み合った状態になるので、合成樹脂等からなる断熱部材のみに頼らない構造となる。すなわち、荷重を断熱部材のみではなく、上金具と固定金具でも支持するとともに、万が一火災で断熱部材が焼失しても上金具と固定金具とが分離しない状態を得られる。強度を高められる上に、安全性も得られる。
【００２６】
また上金具に係合部を有した構造の場合、断熱部材の張り出し部の上下両縁部に曲面部を形成して、上金具を取り付けた状態でも断熱部材担体を回動して下部を開くことができるようにすることで、固定金具が左右一対の挟持部材からなるものであっても構成部材がばらばらにならずに、容易な取り付けをすることができる。
【００２７】
さらに上記回動を許容しながらも上下方向での位置ずれを防止する凸部と凹部を形成すると、断熱部材担体同士の一体性が高まり、強度が高く、また取り付け作業を容易にすることができる。
【００２８】
さらにまた、係合部を断熱部材よりも長く形成して、張り出し部を係合部が摺動する摺動部に設定すると、屋根板の熱による収縮に起因する歪を吸収して、音なり防止が行える屋根板支持具とすることができる。
【００２９】
このような屋根板支持具を用いる屋根構造によれば、上述のように合成樹脂等の使用量を少なくして資源や環境の面から有用である上に、強度、断熱性能に優れた良好な屋根を得ることができる。
【００３０】
【発明の実施の形態】
この発明の一実施の形態を、以下図面を用いて説明する。
図１は、屋根板支持具１（支持具）の斜視図であり、この支持具１は、図２に示したように、下葺屋根２の上に上葺屋根３を形成して、断熱・防音性を有した屋根４を得るのに使用するものである。そしてこの支持具１は、下地材としての下葺屋根２に固定する固定金具５の上に、上下方向での熱伝導を遮断する断熱部材６を一体的に取り付け、この断熱部材６の上に、屋根板３ａを支持して前後方向に摺動する上金具７を取り付けて構成している。
【００３１】
固定金具５は、図３、図４にも示したように、左右一対の金属製の第１挟持部材８および第２挟持部材９と、これらの間に挟まる補助挟持部材１０とからなる。これら第１挟持部材８、第２挟持部材９、および補助挟持部材１０は、下葺屋根２の馳締部２ａを挟み込んで締め付けることにより、下葺屋根２に固定するものである。
【００３２】
すなわち、第１挟持部材８は、その下端に、略水平に延びる接地片８ａを設け、この接地片８ａの内側縁から垂直に立ち上がる立ち上がり部８ｂを形成している。第２挟持部材９も下端に、略水平に延びる接地片９ａを設け、この場合には接地片９ａの内側縁から垂直に立ち上がる立ち上がり部９ｂを逆Ｌ字形に形成して、内側に上記補助挟持部材１０を収めるぬすみ部９ｃを形成している。補助挟持部材１０は、上記下葺屋根２の馳締部２ａに外側から嵌合対応する三角形の挟圧部１０ａを有している。
【００３３】
そして、上記第１挟持部材８と第２挟持部材９の立ち上がり部８ｂ，９ｂより上には、垂直に立ち上がる垂直片８ｄ，９ｄを形成するとともに、該垂直片８ｄ，９ｄの上端からは、外側に向けて左右方向水平に延びる受け片８ｅ，９ｅを形成している。上記補助挟持部材１０の場合には、垂直片１０ｄのみを形成して、これら３つの部材８，９，１０の垂直片８ｄ，９ｄ，１０ｄには、締結のためのボルト１１を通す挿通孔８ｆ，９ｆ，１０ｆを形成している。なお、垂直片８ｄ，９ｄ，１０ｄと受け片８ｅ，９ｅは、その下側部分よりも幅狭の同一幅に形成する。
【００３４】
上記断熱部材６は合成樹脂で形成され、正面視Ｔ字形をなし、上記固定金具５の垂直片８ｄ，９ｄ，１０ｄと受け片８ｅ，９ｅを包み込む形である。すなわち、前後方向の幅は、垂直片８ｄ，９ｄ，１０ｄと受け片８ｅ，９ｅのそれよりも断熱に必要なだけ幅広とした寸法に設定している。そしてこの断熱部材６は、Ｔ字を左右に２分割した２つの断熱部材担体６ａで構成し、これら断熱部材担体６ａは、同一の形状である。
【００３５】
すなわち、上部には上記受け片８ｅ，９ｅと同様に外方へ張り出す張り出し部１２を形成するとともに、内側面の対向面の外周部位に、相互に当接する当接面１３を形成し、該当接面１３の内側に、当接面１３同士を当接する組み合わせ状態において上記固定金具５の垂直片８ｄ，９ｄ，１０ｄを収める深さの収容凹部１４と、該収容凹部１４の上側であって上記張り出し部１２対応位置に、上記受け片８ｅ，９ｅを差し込む差込溝１５を形成している（図５参照）。この差込溝１５は、張り出し部１２の厚み（上下）方向の中間部に形成し、差込溝１５の差込口を除く他の部分がすべて閉塞された袋状である。
【００３６】
また、上記当接面１３のうちの上端部には、左右に一つずつ、相互に嵌合対応する形状の凸部１６と凹部１７を形成している。凹部１７は、直方体状の穴で、凸部１６は、その凹部１７に嵌合する直方体形状の先端部下側に円弧状の湾曲面１６ａを形成した形状で、凸部１６を凹部１７に差し込んだ状態での回動を許容する。この回動は対向面における上端側を中心としての回動である。換言すれば、下側を開く回動である。凸部１６の上面には、凹部１７に対してカチッと嵌まった状態を保持するために凸部１６よりも若干幅広の節度部１６ｂを形成している。
【００３７】
また、この断熱部材担体６ａでは、張り出し部１２の上下両側縁に、円弧状の曲面部１８を形成して、上金具７を取り付けた状態でも断熱部材担体６ａの対向面の上端側を中心にしての回動を許容可能にしている。
【００３８】
さらに、各断熱部材担体６ａの垂直部分１９の外側面には、肉厚を出すために板状の突出部２０を形成して、外側から順に角孔２０ａと丸孔２０ｂを順に形成している。角孔２０ａは、上記ボルト１１の根元の根角部１１ａを収める。
【００３９】
この断熱部材６と上記固定金具５との組み付けは、図４に示したように第１挟持部材８と補助挟持部材１０と第２挟持部材９とを順に並べたうえで、断熱部材担体６ａの差込溝１５に第１挟持部材８と第２挟持部際９の受け片を８ｅ，９ｅ差し込んで、断熱部材担体６ａの凸部１６と凹部１７を相互に嵌合する。そして、ボルト１１を挿通するとともに、ナット２１を螺合する。
【００４０】
上記上金具７は、左右一対の上金具担体２２，２２で構成し、この上金具担体２２はその下部に、上記断熱部材６の張り出し部１２に左右から摺動可能に係合する断面コ字形の係合部２３を有している。すなわち、上記張り出し部１２が特許請求の範囲における摺動部に相当する。
【００４１】
上記係合部２３は、左右方向内側に向けて開口しているもので、上記固定金具５の第１挟持部材８および第２挟持部材９の受け片８ｅ，９ｅと、上記断熱部材６を介して上下方向で噛み合う。
【００４２】
上述のように係合部２３はコ字形であるので、断熱部材６の曲面部１８は係合部２３と図６に示したような関係になる大きさであればよい。具体的には、断熱部材担体６ａの幅が約４０〜３０ｍｍ程度で、張り出し部の厚みが１５〜２３ｍｍ程度である場合、曲面部１８の半径は４〜７ｍｍほどであればよい。
【００４３】
上記上金具担体２２は、屋根板３ａを係止するための吊り子２４（図２参照）を挟んで保持するように形成しており、吊子２４を挟んだときに、上金具７が前後方向に摺動できるように、係合部２３における上側の接地片２３ａの幅を設定している。
【００４４】
この接地片２３ａからは、吊子２４を挟む挟持片２５を立設し、挟持片２５の上端からは、屋根板３ａを受ける屋根板受け片２６を外方に向けて折曲して形成している。上記挟持片２５は、吊子２４を固定するために締め付ける部位であり、ボルト２７による締結を可能とするため、挿通孔２８，２９を形成している。
【００４５】
この例では、吊子２４に角馳タイプのものを使用しているので、施工に際しては屋根板３ａを係止した吊子２４を差し込んだ上でボルト２７を締める必要がある。しかし、ナットを保持する充分なスペースを確保できないので、一方の上金具担体２２の挿通孔２９は、バーリングで形成して、内周面にネジを形成している。
【００４６】
また、挟持片２５の形状は、末広がり状に形成している。このように、締結を行う部分を、末広がり状に形成して幅広に設定すると、締め付け強度を高くすることができる。すなわち、挟持片２５の下側が開くことを防止して、張り出し部１２に対しての取り付け状態を強力に維持できる。
【００４７】
さらに、係合部２３の前後方向の長さは、前後方向への摺動距離の必要性に応じ、張り出し部１２の長さを考慮して適宜設定する。また、係合部２３の前後方向の端部には、下へ折り曲がるストッパ３０を形成し、摺動によって上金具７が断熱部材６から脱落することを阻止している。
【００４８】
このように構成した支持具１では、断熱部材６と固定金具５を一体化するボルト１１ナット２１を締め付けて、下葺屋根２の上に固定する。この固定は、屋根板３ａを係止する吊子２４が角馳タイプであるので、屋根板３ａの係止に当たっては結局上金具７のボルト２７を外すことにはなるが、図７に示したように上金具７を取り付けた状態でも、ボルト１１ナット２１を緩めて固定金具５の第１挟持部材８と第２挟持部材９を開けば、下葺屋根２に対して容易に固定できる。断熱部材６に曲面部１８を形成したため、断熱部材６が上金具７内で回動可能だからである。
【００４９】
そして固定後は、上金具７に吊子２４を保持しこの吊子２７を利用して、屋根板３ａを順次固定し、上葺屋根３を形成する。吊子２４が角馳タイプであるので、施工方向前段の屋根板３ａを置いた後、一方の上金具担体２２の屋根板受け片２６でその屋根板３ａを受けて、吊子２４を屋根板３ａに係止しながら吊子２４を挟み込んでボルト２７で締め付けて上金具７に取り付ける。
【００５０】
このとき上金具７の断熱部材６上での位置を、上金具７が前後に等距離摺動できるように設定する。施工時の気温、日差し等によっては、一方に偏らせる。例えば上金具に予め適宜の目印を形成しておけば、その位置設定は容易に行える。
【００５１】
この状態で、上葺屋根３に温度変化が起こって伸縮すると、上金具７は、吊子２４を介して上葺屋根３と一体であるので、屋根板３ａの伸縮に伴って、断熱部材６上を摺動する（図８参照）。この摺動により、屋根板３ａに溜まる歪を吸収できるので、音鳴りを防止できる。
【００５２】
しかも、固定金具５と断熱部材６との一体的な取り付け部分を、固定金具５の上部を断熱部材６で包み込むコンパクトな構造にまとめているので、合成樹脂の使用量を抑えることができ、資源等の有効利用に資するとともに、万が一火災で燃えても有害ガスの発生を抑えることができて環境保全にも資する。
【００５３】
また、固定金具５の受け片８ｅ，９ｅを、断熱部材６の張り出し部１２内に袋状に形成した差込溝１５に対して差し込んだ状態で一体化するので、高い一体性が得られ、特に負圧に対しても強度を得られる。また、上金具７との干渉を防止でき、高い断熱性を得ることができる。
【００５４】
さらに、上金具７と断熱部材６との取り付けを、上金具７の下部に形成した係合部２３の張り出し部１２に対する係合で行うので、断熱部材６を介して固定金具５と上金具７とが噛み合った状態になる。このため、合成樹脂からなる断熱部材６のみに頼らない構造となり、荷重を断熱部材６のみではなく、上金具７と固定金具５でも支持するとともに、万が一火災で断熱部材が焼失しても上金具７と固定金具５とが分離しない状態を得られる。強度を高められる上に、安全性も得られる。
【００５５】
また上金具７を取り付けた状態でも断熱部材担体６ａを回動して下部を開くことができるので、固定金具５が左右から挟持して締め付ける構造であっても、構成部材がばらばらにならずに、容易な取り付けをすることができる。
【００５６】
さらにまた断熱部材担体６ａには、上記回動を許容しながらも上下方向での位置ずれを防止する凸部１６と凹部１７を形成しているので、断熱部材担体６ａ同士の一体性が高く、強度が高い。
【００５７】
以下に、若干の他の例を説明する。なお、上述と同一の構成については同一の符号を付して、詳しい説明を省略する。
【００５８】
図９、図１０は、固定金具５の第１挟持部材８および第２挟持部材９における垂直片８ｄ，９ｄの下部に末広がり状の立ち上がり片３１を形成して、固定強度の向上と意匠感の多様化を図った例である。すなわち、図９の支持具１は、第１挟持部材８と第２挟持部材９の垂直片８ｄ，９ｄの外側に、断熱部材担体６ａの当接面１３の幅に対応する間隔を隔てて立ち上がり片３１を形成した例である。
【００５９】
図１０の支持具は、立ち上がり片３１を、断熱部材担体６ａの当接面１３の幅に対応する間隔を隔てずに連設した例で、立ち上がり片３１の一部を収容する分、断熱部材担体６ａの下端部には、ぬすみ部３２を形成している。
【００６０】
図１１は、吊子３３に丸馳タイプのものを使用する支持具１の例である。すなわち、固定金具５は、左右一対の金属製の挟持部材３４からなる。これら挟持部材３４は、下端部には、略水平に延びる接地片３４ａを設け、この接地片３４ａの左右方向内側縁から上へ、左右方向外方に略半円形に膨出するように延設して、ぬすみ部３４ｂを形成し、該ぬすみ部３４ｂの上端から、垂直に立ち上がる挟持片３ｃを延設している。これより上は、上述の構成と同一である。
【００６１】
丸馳タイプの吊子３３の場合は、角馳タイプの吊子２４の場合と異なり、屋根板３ａの固定に際していちいち吊子３３を外す必要がないので、ボルト２７ナット３５で予め固定しておく。予め固定するので、締結具としてはボルト２７以外にリベット等を用いるもよい。また締結具３６による締結は、上述のように前後方向の中間部のほかに、図１１に仮想線で示したように、前後両端部位置など、複数箇所に行うもよい。
【００６２】
固定に際しては、挟持部材３４の下部を持って開けば、前述の如く断熱部材担体６ａが上金具７の係止部２３内で回動し、図１２に示したように固定金具５の下が開くので、容易に固定作業が行える。
【００６３】
図１３は、上金具７に他の構成を採用した支持具１を示す。この支持具１の上金具７は、左右一対の上金具担体で構成するも、これらの間に挟持しないで吊子２４の取り付けを行うように構成している。
【００６４】
すなわち図１４にも示したように、係合部２３と垂直片２５のみからなる一方（図面左側）の第１上金具担体３７、および、係合部２３と垂直片２５とを有するとともに、垂直片の上端から上述例の構成とは反対の方向（図面左側）に向けて水平に延びる屋根板受け片２６を有する第２上金具担体３８で上金具７を構成する。
【００６５】
そして吊子２４は、その下部を上記第２上金具担体３８の側面と上面の一部に沿うＬ字形に形成している。
【００６６】
また上金具７の垂直片２５に左右方向の一方（図面左側）から挿通したボルト３９を用いて締結するため、上記吊子２４の側面には、補助金具４０を当てる。補助金具４０は、逆Ｌ字形で、上端に屋根板３ａを受ける屋根板受け片４０ａを有している。
【００６７】
上金具７は、上記ボルト３９からなる締結具３６で、断熱部材６に対して予め一体化しておく。
【００６８】
すなわち、この構成の支持具１によれば、吊子２４を外しても一体性が保てるので、上金具７がバラバラになることなく、取り付け作業がしやすい。
【００６９】
吊子２４の取り付けに際しては、上記ボルト３９をいちいち外す必要はないので、上記ボルト３９に代えて、図１５に示したように頭部をカシメ止めしたボルト４１を用いると、作業性はより一そう向上する。
【００７０】
図１６は、吊子２４の止め方の他の例を示し、この例では、左右方向ではなく下から上へ向けて立設したボルト４１で吊子２４を固定する。すなわち、第２上金具担体３８の係合部２３の上面に、上へ盛り上がる膨出部４２を形成し、ボルト４１の頭部をカシメ止めする。吊子２４は、図１３の例の吊子２４よりも下の片を横に長く形成し、中央部に、上記膨出部４２に嵌合対応可能な被嵌部４３を形成し、上面の中央部には、上記ボルト４１挿通用の貫通孔４３ａを形成している。
【００７１】
図中４４は補助板で、長方形板状の中間部に貫通孔４４ａを形成し、上記吊子２４の水平に延びる下の片に上から当てたときに、下面が吊子２４の上面に圧接可能なように、両端部より盛り上がる隆起部４４ｂを中間部に形成している。
【００７２】
図１３から図１７においては角馳タイプの吊子２４を例示したが、丸馳タイプの吊子２４を用いるもよい。またこの場合には、ボルト３９，４１ではなくリベットで固定するもよい。
【００７３】
また、図示はしないが、上金具７は、吊子のみで構成するもよく、この場合には、断熱部材６の張り出し部１２部分の上部に、固定金具５とは非接触の状態にして取り付ければよい。取り付けは、正面視逆Ｔ字形やレ字形等の溝を形成して、この溝に吊子の下部を取り付ければよい。前後方向に摺動可能に取り付けるも、摺動不可に取り付けるもよい。
【図面の簡単な説明】
【図１】屋根板支持具の斜視図。
【図２】屋根の構造図。
【図３】屋根板支持具の分解斜視図。
【図４】固定金具と断熱部材の分解斜視図。
【図５】断熱部材担体の側面図。
【図６】屋根板支持具の断面図。
【図７】作用状態の断面図。
【図８】作用状態の側面図。
【図９】他の例に係る屋根板支持具の側面図。
【図１０】他の例に係る屋根板支持具の側面図。
【図１１】他の例に係る屋根板支持具の斜視図。
【図１２】他の例に係る屋根板支持具の作用状態の断面図。
【図１３】他の例に係る屋根板支持具の斜視図。
【図１４】他の例に係る屋根板支持具を用いた屋根の構造図。
【図１５】他の例に係る屋根板支持具の断面図。
【図１６】他の例に係る屋根板支持具の斜視図。
【図１７】他の例に係る屋根板支持具の断面図。
【符号の説明】
１…屋根板支持具
２…下葺屋根
３ａ…屋根板
４…屋根
５…固定金具
６…断熱部材
６ａ…断熱部材担体
７…上金具
８…第１挟持部材
９…第２挟持部材
８ｄ，９ｄ…垂直片
８ｅ，９ｅ…受け片
１２…張り出し部
１４…収容凹部
１５…差込溝
１６…凸部
１７…凹部
１８…曲面部
２３…係合部
３４…挟持部材
【図１】
2004162253.tif 000003
【図２】
2004162253.tif 000004
【図３】
2004162253.tif 000005
【図４】
2004162253.tif 000006
【図５】
2004162253.tif 000007
【図６】
2004162253.tif 000008
【図７】
2004162253.tif 000009
【図８】
2004162253.tif 000010
【図９】
2004162253.tif 000011
【図１０】
2004162253.tif 000012
【図１１】
2004162253.tif 000013
【図１２】
2004162253.tif 000014
【図１３】
2004162253.tif 000015
【図１４】
2004162253.tif 000016
【図１５】
2004162253.tif 000017
【図１６】
2004162253.tif 000018
【図１７】
2004162253.tif 000019